(57)【要約】【課題】通常のニオイカット制御は、運転開始時圧縮機がＯＮしてからある一定時間室内ファンを停止させ、熱交換器に付着しているニオイを結露水で洗い流すというアルゴになっているが、快適性を損なわないためにファン停止時間はなるべく短時間に設定しており、室温あるいは外気温、圧縮機運転周波数により、熱交に結露する水の量が異なるため、結露水が少ない場合ニオイが完全に除去できないという課題を有していた。【解決手段】室温及び外気温、並びに圧縮機運転周波数により、熱交に結露する水の量を推定し、ファン停止時間を変えることにより快適性を損なうことなくニオイ除去を的確に実施できるものである。【選択図】図１１
2006189183.tif 000002
【特許請求の範囲】
【請求項１】
室内熱交換器及び送風機、並びに前記送風機を駆動する駆動回路で形成される室内機において、圧縮機運転検出手段、室内送風機速度検出手段、室内吸込み温度検出手段及び前記熱交換器温度検出手段、並びに外気温検出手段を具備し、冷房または除湿運転時において、運転開始時圧縮機がＯＮしてから配管温度が設定値を下回るまで室内送風機を停止させることにより、快適性を損なうことなく運転開始時の臭いの吹出しを防ぐことを可能にした空気調和機。
【請求項２】
冷房または除湿運転時において、前記室内吸込み温度を検出し、吸込み温度が第１の設定値を下回っていたら圧縮機ＯＮから室内送風機が運転を開始するまでの時間をｔｆ１秒とし、室内吸込み温度が第１の設定値と第２の設定値の間にある場合、圧縮機ＯＮから送風機が運転を開始するまでの時間をｔｆ２秒とし、室内吸込み温度が第２の設定値を上回っていたら圧縮機ＯＮから送風機が運転を開始するまでの時間をｔｆ3秒とすることにより、快適性を損なうことなく運転開始時の臭いの吹出しを防ぐことを可能にしたことを特徴とする、請求項１に記載の空気調和機。
【請求項３】
冷房または除湿運転時において、前記室内吸込み温度と前記熱交換器温度との差を検出し、温度差が第１の設定値を下回っていたら圧縮機ＯＮから室内送風機が運転を開始するまでの時間をｔｆ１秒とし、温度差が第１の設定値と第２の設定値の間にある場合、圧縮機ＯＮから送風機が運転を開始するまでの時間をｔｆ２秒とし、温度差が第２の設定値を上回っていたら圧縮機ＯＮから送風機が運転を開始するまでの時間をｔｆ3秒とすることにより、快適性を損なうことなく運転開始時の臭いの吹出しを防ぐことを可能にしたことを特徴とする、請求項１〜２のいずれかに記載の空気調和機。
【請求項４】
冷房または除湿運転時において、前記外気温度を検出し、外気温度が第１の設定値を下回っていたら圧縮機ＯＮから室内送風機が運転を開始するまでの時間をｔｆ１秒とし、外気温度が第１の設定値と第２の設定値の間にある場合、圧縮機ＯＮから送風機が運転を開始するまでの時間をｔｆ２秒とし、外気温度が第２の設定値を上回っていたら圧縮機ＯＮから送風機が運転を開始するまでの時間をｔｆ3秒とすることにより、快適性を損なうことなく運転開始時の臭いの吹出しを防ぐことを可能にしたことを特徴とする、請求項第１〜３のいずれかに記載の空気調和機。
【請求項５】
冷房または除湿運転時において、圧縮機運転周波数を検出し、運転周波数が第１の設定値を下回っていたら圧縮機ＯＮから室内送風機が運転を開始するまでの時間をｔｆ１秒とし、運転周波数が第１の設定値と第２の設定値の間にある場合、圧縮機ＯＮから送風機が運転を開始するまでの時間をｔｆ２秒とし、運転周波数が第２の設定値を上回っていたら圧縮機ＯＮから送風機が運転を開始するまでの時間をｔｆ3秒とすることにより、快適性を損なうことなく運転開始時の臭いの吹き出しを防ぐことを可能にしたことを特徴とする、請求項第１〜４のいずれかに記載の空気調和機。
【発明の詳細な説明】
【技術分野】
【０００１】
本発明は、膨張弁制御方法を搭載した空気調和機に関するものである。
【背景技術】
【０００２】
従来この種空気調和機の送風機制御方法は、図１のフローチャート及び図２のタイムチャート並びに図３のブロック図に示すように、ニオイカット制御がＯＮになるとマイコンに記憶された設定時間送風機を停止させ、その間に熱交換器に付着した臭いを水滴で洗い流すことにより、運転開始時の臭いの吹出しを防ぎ快適性を向上させるものである（例えば、特許文献１参照）。
【特許文献１】特開２００３−１０６６２７号公報
【発明の開示】
【発明が解決しようとする課題】
【０００３】
しかしながら、前記従来の構成では、冷房または除湿運転開始時ニオイカット制御がＯＮになると、室温または室内熱交換器温度に拘らずファン停止時間が決まっており、室温の高い場合は熱交換器温度も高いため、温度が下がるまで時間がかかりファン停止中に臭いを洗い流すことが不可能となる。
【０００４】
また室温が低い場合は、逆に熱交換器温度も低いため臭いを洗い流すに必要な時間よりも余分にファンを停止させるため、冷房能力の低下が著しく快適性を損なうという課題を有していた。
【０００５】
本発明は前記従来の課題を解決するもので、室内熱負荷に応じて、運転開始時のファン停止時間を決定するので、臭いの吹出しを防ぎ、かつ快適性を向上させることを可能にした空気調和機の膨張弁制御方法を提供することを目的とする。
【課題を解決するための手段】
【０００６】
前記従来の課題を解決するために本発明の空気調和機は第４図の制御ブロック図に示すように、圧縮機ＯＮ／ＯＦＦ検出手段、ファン速設定値記憶手段、ファン停止時間記憶手段、室内熱交換器温度検出手段、前記設定温度記憶手段より構成され、冷房または除湿運転開始時において、圧縮機ＯＮ検出後室内熱交換器温度を検出し、前記熱交換器設定値と比較し温度が設定値を下回ったら、ファンの運転を開始するとしたものである。
【０００７】
これによって、臭い吹出しの防止を可能としたものである。
【０００８】
また本発明の空気調和機は第５図の制御ブロック図に示すように、圧縮機ＯＮ／ＯＦＦ検出手段、ファン速設定値記憶手段、ファン停止時間記憶手段、室内吸込み温度検出手段、前記設定温度記憶手段より構成され、冷房または除湿運転開始時において、圧縮機ＯＮ検出後室内吸込み温度を検出し、前記吸込み設定値と比較し、温度が設定値を下回ったら、ファンの運転を開始するとしたものである。
【０００９】
これによって、臭い吹出しの防止を可能としたものである。
【００１０】
また本発明の空気調和機は第６図の制御ブロック図に示すように、圧縮機ＯＮ／ＯＦＦ検出手段、ファン速設定値記憶手段、ファン停止時間記憶手段、室内吸込み温度検出手段、室内熱交換器温度検出手段、前記温度差記憶手段より構成され、冷房または除湿運転開始時において、圧縮機ＯＮ検出後室内吸込み温度と室内熱交換器温度との差を検出し、前
記温度差設定値と比較し、温度差が設定値を下回ったら、ファンの運転を開始するとしたものである。
【００１１】
これによって、臭い吹出しの防止を可能としたものである。
【００１２】
また本発明の空気調和機は第７図の制御ブロック図に示すように、圧縮機ＯＮ／ＯＦＦ検出手段、ファン速設定値記憶手段、ファン停止時間記憶手段、外気温度検出手段、前記設定温度記憶手段より構成され、冷房または除湿運転開始時において、圧縮機ＯＮ検出後外気温度を検出し、前記外気温設定値と比較し、温度が設定値を下回ったら、ファンの運転を開始するとしたものである。
【００１３】
これによって、臭い吹出しの防止を可能としたものである。
【００１４】
また本発明の空気調和機は第８図の制御ブロック図に示すように、圧縮機ＯＮ／ＯＦＦ検出手段、圧縮機周波数検出手段、前記周波数記憶手段、ファン速設定値記憶手段、ファン停止時間記憶手段より構成され、冷房または除湿運転開始時において、圧縮機運転周波数を検出し、前記周波数設定値と比較し、周波数が設定値を上回ったら、ファンの運転を開始するとしたものである。
これによって、臭い吹出しの防止を可能としたものである。
【発明の効果】
【００１５】
本発明の空気調和機は快適性を損なうことなく、運転開始時の臭い吹出しを防止することができる。
【発明を実施するための最良の形態】
【００１６】
第１の発明は、室内熱交換器及び送風機、並びに前記送風機を駆動する駆動回路で形成される室内機において、圧縮機運転検出手段、室内送風機速度検出手段、室内吸込み温度検出手段及び前記熱交換器温度検出手段を具備し、冷房または除湿運転時において、運転開始時圧縮機がＯＮしてから配管温度が設定値を下回るまで室内送風機を停止させることにより、快適性を損なうことなく運転開始時の臭いの吹出しを防ぐことができる。
【００１７】
第２の発明は、特に第１の発明の空気調和機において、冷房または除湿運転時において、前記室内吸込み温度を検出し、吸込み温度が第１の設定値を下回っていたら圧縮機ＯＮから室内送風機が運転を開始するまでの時間をｔｆ１秒とし、室内吸込み温度が第１の設定値と第２の設定値の間にある場合、圧縮機ＯＮから送風機が運転を開始するまでの時間をｔｆ２秒とし、室内吸込み温度が第２の設定値を上回っていたら圧縮機ＯＮから送風機が運転を開始するまでの時間をｔｆ３秒とすることにより、快適性を損なうことなく運転開始時の臭いの吹出しを防ぐことができる。
【００１８】
第３の発明は、特に第１の発明または第２の発明の空気調和機において、冷房または除湿運転時において、前記室内吸込み温度と前記熱交換器温度との差を検出し、温度差が第１の設定値を下回っていたら圧縮機ＯＮから室内送風機が運転を開始するまでの時間をｔｆ１秒とし、温度差が第１の設定値と第２の設定値の間にある場合、圧縮機ＯＮから送風機が運転を開始するまでの時間をｔｆ２秒とし、温度差が第２の設定値を上回っていたら圧縮機ＯＮから送風機が運転を開始するまでの時間をｔｆ３秒とすることにより、快適性を損なうことなく運転開始時の臭いの吹出しを防ぐことができる。
【００１９】
第４の発明は、特に第１〜第３のいづれかの空気調和機において、冷房または除湿運転時において、前記外気温度を検出し、外気温度が第１の設定値を下回っていたら圧縮機ＯＮから室内送風機が運転を開始するまでの時間をｔｆ１秒とし、外気温度が第１の設定値
と第２の設定値の間にある場合、圧縮機ＯＮから送風機が運転を開始するまでの時間をｔｆ２秒とし、外気温度が第２の設定値を上回っていたら圧縮機ＯＮから送風機が運転を開始するまでの時間をｔｆ３秒とすることにより、快適性を損なうことなく運転開始時の臭いの吹出しを防ぐことができる。
【００２０】
第５の発明は、特に第１〜第４のいづれかの空気調和機において、冷房または除湿運転時において、圧縮機運転周波数を検出し、運転周波数が第１の設定値を下回っていたら圧縮機ＯＮから室内送風機が運転を開始するまでの時間をｔｆ１秒とし、運転周波数が第１の設定値と第２の設定値の間にある場合、圧縮機ＯＮから送風機が運転を開始するまでの時間をｔｆ２秒とし、運転周波数が第２の設定値を上回っていたら圧縮機ＯＮから送風機が運転を開始するまでの時間をｔｆ３秒とすることにより、快適性を損なうことなく運転開始時の臭いの吹き出しを防ぐことができる。
【００２１】
以下本発明の実施の形態について図面を参照して説明する。なお本実施の形態によって本発明が限定されるものではない。
【００２２】
（実施の形態１）
第９図は発明の第１の実施の形態における送風機制御方法を示す冷凍サイクル図である。
【００２３】
同図において、冷凍サイクルは能力可変型圧縮機１、冷房運転と暖房運転を切換える４方弁２、室外熱交換器３、室外送風機４、外気温度センサー５、室内熱交換器６、室内送風機７、室内配管温度センサー８、室内吸込み温度センサー９、で構成されている。暖房運転時には４方弁２が切り変わることにより、同図の矢印の方向に冷媒が流れるようになっている。
【００２４】
第１０図のフローチャート及び第１１図のタイムチャートにより、送風機制御の動作を説明する。
【００２５】
電源投入後冷房または除湿運転で、しかもニオイカット制御入りの場合圧縮機起動時室内ファンを遅延させる。
【００２６】
すなわち圧縮機起動後、室内配管温度Ｔｈを検知し設定温度Ｔｈ１より高い場合はファンを停止させ、所定時間ｔｎ１以降でしかも前記室内配管温度Ｔｈが設定温度Ｔｈ１を下回るとファンを微風（ＳＬＯ）で運転させる。ファンが微風（ＳＬＯ）で運転してから所定時間ｔｆｓ０経過後、ファンを設定風速で運転することから熱交換器に付着したニオイを完全に除去することができる。
【００２７】
（実施の形態２）
第１２図及び第１３図は本発明の第２の実施の形態の送風機制御方法を示すフローチャート及びタイムチャート図である。
【００２８】
電源投入後冷房または除湿運転で、しかもニオイカット制御入りの場合圧縮機起動時室内ファンを遅延させる。
【００２９】
すなわち圧縮機起動後、室内吸込み温度Ｔｓを検知し設定温度Ｔｓ１より低い場合はファンはｔｆ１時間停止させ、室内吸込み温度がＴｓ１以上でＴｓ２以下の範囲にある場合はファンはｔｆ２時間停止させ、室内吸込み温度Ｔｓが設定温度Ｔｓ２を超える場合ファンはｔｆ３時間停止させた後、ファンを微風（ＳＬＯ）で運転させる。ファンが微風（ＳＬＯ）で運転してから所定時間ｔｆｓ０経過後、ファンを設定風速で運転することから熱
交換器に付着したニオイを完全に除去することができる
（実施の形態３）
第１４図及び第１５図は本発明の第３の実施の形態の送風機制御方法を示すフローチャート及びタイムチャート図である。
【００３０】
電源投入投入後冷房または除湿運転で、しかもニオイカット制御入りの場合圧縮機起動時室内ファンを遅延させる。
【００３１】
すなわち圧縮機起動後、室内吸込み温度Ｔｓ及び室内配管温度Ｔｈとの差ΔＴｓｈを検知し、設定温度差ΔＴｓ１より低い場合はファンはｔｆ１時間停止させ、室内吸込み温度Ｔｓ及び室内配管温度Ｔｈとの差ΔＴｓｈがΔＴｓ１以上でΔＴｓ２以下の範囲にある場合はファンはｔｆ２時間停止させ、室内吸込み温度Ｔｓ及び室内配管温度Ｔｈとの差ΔＴｓｈがΔＴｓ２を超える場合ファンはｔｆ３時間停止させた後、ファンを微風（ＳＬＯ）で運転させる。
【００３２】
ファンが微風（ＳＬＯ）で運転してから所定時間ｔｆｓ０経過後、ファンを設定風速で運転することから熱交換器に付着したニオイを完全に除去することができる。
【００３３】
（実施の形態４）
第１６図及び第１７図は本発明の第４の実施の形態の送風機制御方法を示すフローチャート及びタイムチャート図である。
【００３４】
電源投入後冷房または除湿運転で、しかもニオイカット制御入りの場合圧縮機起動時室内ファンを遅延させる。すなわち圧縮機起動後、外気温Ｔｄを検知し設定温度Ｔｄ１より低い場合はファンはｔｆ１時間停止させ、外気温度がＴｄ１以上でＴｄ２以下の範囲にある場合はファンはｔｆ２時間停止させ、外気温度Ｔｄが設定温度Ｔｄ２を超える場合ファンはｔｆ３時間停止させた後、ファンを微風（ＳＬＯ）で運転させる。
【００３５】
ファンが微風（ＳＬＯ）で運転してから所定時間ｔｆｓ０経過後、ファンを設定風速で運転することから熱交換器に付着したニオイを完全に除去することができる。
【００３６】
（実施の形態５）
第１８図及び第１９図は本発明の第４の実施の形態の送風機制御方法を示すフローチャート及びタイムチャート図である。
【００３７】
電源投入後冷房または除湿運転で、しかもニオイカット制御入りの場合圧縮機起動時室内ファンを遅延させる。
【００３８】
すなわち圧縮機起動後、圧縮機運転周波数Ｈｚを検知し運転周波数がＨｚ１より低い場合はファンはｔｆ１時間停止させ、圧縮機運転周波数がＨｚ１以上でＨｚ２以下の範囲にある場合はファンをｔｆ２時間停止させ、圧縮機運転周波数がＨｚ２を超える場合ファンはｔｆ３時間停止させた後、ファンを微風（ＳＬＯ）で運転させる。ファンが微風（ＳＬＯ）で運転してから所定時間ｔｆｓ０経過後、ファンを設定風速で運転することから熱交換器に付着したニオイを完全に除去することができる。
【産業上の利用可能性】
【００３９】
以上のように、本発明にかかる空気調和機の送風機制御方法は、冷房または除湿運転で圧縮機起動後室内ファンを遅延させることにより熱交換器に付着したニオイを完全に除去することができるので、家庭用だけでなく業務用あるいは店舗用空気調和機の送風機制御等の用途にも適用できる。
【図面の簡単な説明】
【００４０】
【図１】従来の送風機制御方法のフローチャート
【図２】従来の送風機制御方法のタイムチャート
【図３】従来の送風機制御方法のブロック図
【図４】本発明の第１の実施形態を示す送風機制御方法のブロック図
【図５】本発明の第２の実施形態を示す送風機制御方法のブロック図
【図６】本発明の第３の実施形態を示す送風機制御方法のブロック図
【図７】本発明の第４の実施形態を示す送風機制御方法のブロック図
【図８】本発明の第５の実施形態を示す送風機制御方法のブロック図
【図９】本発明の第１の実施形態を示す送風機制御方法の冷凍サイクル図
【図１０】本発明の第１の実施形態を示す送風機制御方法のフローチャート
【図１１】本発明の第１の実施形態を示す送風機制御方法のタイムチャート
【図１２】本発明の第２の実施形態を示す送風機制御方法のフローチャート
【図１３】本発明の第２の実施形態を示す送風機制御方法のタイムチャート
【図１４】本発明の第３の実施形態を示す送風機制御方法のフローチャート
【図１５】本発明の第３の実施形態を示す送風機制御方法のタイムチャート
【図１６】本発明の第４の実施形態を示す送風機制御方法のフローチャート
【図１７】本発明の第４の実施形態を示す送風機制御方法のタイムチャート
【図１８】本発明の第５の実施形態を示す送風機制御方法のフローチャート
【図１９】本発明の第５の実施形態を示す送風機制御方法のタイムチャート
【符号の説明】
【００４１】
１  圧縮機
２  ４方弁
３  室外熱交換器
４  室外送風機
５  外気温度センサー
６  室内熱交換器
７  室内送風機
８  室内配管温度センサー
９  室内吸込み温度センサー
【図１】
2006189183.tif 000003
【図２】
2006189183.tif 000004
【図３】
2006189183.tif 000005
【図４】
2006189183.tif 000006
【図５】
2006189183.tif 000007
【図６】
2006189183.tif 000008
【図７】
2006189183.tif 000009
【図８】
2006189183.tif 000010
【図９】
2006189183.tif 000011
【図１０】
2006189183.tif 000012
【図１１】
2006189183.tif 000013
【図１２】
2006189183.tif 000014
【図１３】
2006189183.tif 000015
【図１４】
2006189183.tif 000016
【図１５】
2006189183.tif 000017
【図１６】
2006189183.tif 000018
【図１７】
2006189183.tif 000019
【図１８】
2006189183.tif 000020
【図１９】
2006189183.tif 000021